(57)【要約】【課題】小さな子供が少々はしゃいで駆け回わっても床から音、さらには音の響きを生じさせることがなく、さらに外用履物を音用履物に容易に装着できる。【解決手段】履物部材の足底部に着脱自在に取り付けられる足底音吸収部材１４を備える。履物部材の本体部及び又は足首部に設けられ、靴部材に入れられた足底音吸収部材が足の移動と共にとも一緒に移動することを防止するための足移動防止部材３２を備える。【選択図】  図１
2004351171.tif 000002
【特許請求の範囲】
【請求項１】
足底部と、足のつま先から踵の全体を覆う本体部と、足首を覆う足首部とからなる履物部材と；衝撃吸収部材と、該衝撃吸収部材に設けられ足底部に固着するための接着部材とを備え、該接着部材により前記靴部材の足底部に着脱自在に取り付けられる足底音吸収部材と；前記履物部材の本体部及び又は足首部に設けられ靴部材に入れられた足の移動を防止するための足移動防止部材と；を備える消音用履物。
【請求項２】
足底部と、足のつま先から踵の全体を覆う本体部と、足首を覆う足首部とからなる履物部材と；衝撃吸収部材と、該衝撃吸収部材に設けられた接着部材とを備える足底音吸収部材と；前記履物部材に設けられて該足底音吸収部材を挿設するために一端開口を有する袋体と；前記履物部材の本体部及び又は足首部に設けられ靴部材に入れられた足の移動を防止するための足移動防止部材と；を備える消音用履物。
【請求項３】
前記足底音吸収部材は、衝撃吸収ゴムと該ゴムの上下に取り付けられた密粒スポンジと、該密粒スポンジの設けられた靴底に固定するためのマジックテープとからなることを特徴とする請求項１又は２記載の消音用履物。
【請求項４】
前記足移動防止部材は、履物編糸と異なるゴム等の弾性編糸、又は弾性部材からなるベルトであることを特徴とする請求項１又は２記載の消音用履物。
【請求項５】
請求項１又は２記載の消音用履物を着脱させるための着脱固定部材を備える外用履物。
【発明の詳細な説明】
【０００１】
【発明の属する技術分野】
本発明は、マンション等の建物で床を歩く際に発生する音を消すことができる消音用履物及び消音用履物を装着可能な外用履物に関する。
【０００２】
【従来の技術】
現在、我々が生活する上でやっかいな問題は、近隣やマンションの上下階で生じる騒音である。特に、マンションの上下階で、特に上階に小さな子供が居る家庭の場合に、子供がはしゃいで駆け回る際に発生する音、及び音の響きが下階に住民にとって絶えがたい問題となって、トラブルの原因にもなっている。また、最近の建物にはフローリングの床が多き音を響きやすくている。
【０００３】
【発明が解決しようとする課題】
本発明は上述した従来の欠点を鑑みてなされたもので、本発明の目的は、小さな子供が少々はしゃいで駆け回わっても床から音、さらには音の響きを生じさせない消音用履物及び消音用履物を容易に装着可能な外用履物を提供することにある。
【０００４】
【課題を解決するための手段】
請求項１に係る消音用履物は、足底部と、足のつま先から踵の全体を覆う本体部と、足首を覆う足首部とからなる履物部材と；衝撃吸収部材と、該衝撃吸収部材に設けられ足底部に固着するための接着部材とからなり、前記履物部材の足底部に着脱自在に取り付けられる足底音吸収部材と；前記履物部材の本体部及び又は足首部に設けられ靴部材に入れられた足の移動を防止するための足移動防止部材と；を備える。
【０００５】
請求項２に係る消音用履物は、足底部と、足のつま先から踵の全体を覆う本体部と、足首を覆う足首部とからなる履物部材と；衝撃吸収部材と、該衝撃吸収部材に設けられた接着部材とを備える足底音吸収部材と；前記履物部材に設けられて該足底音吸収部材を挿設するために一端開口を有する袋体と；前記履物部材の本体部及び又は足首部に設けられ履物部材に入れられた足の移動を防止するための足移動防止部材と；を備える。
【０００６】
請求項３に係る消音用履物は、前記足底音吸収部材が、衝撃吸収ゴムと該ゴムの上下に取り付けられた密粒スポンジと、該密粒スポンジの設けられ靴底に固定するためのマジックテープとからなることを特徴とする。
【０００７】
請求項４に係る消音用履物は、前記足移動防止部材は、履物編糸と異なるゴム等の弾性編糸、又は弾性部材からなるベルトであることを特徴とする。
【０００８】
請求項５に係る外用履物は、請求項１又は２記載の消音用履物を着脱させるための着脱固定部材を備える。
【０００９】
【発明の実施の形態】
以下、本発明の一実施例を添付図面を参照して詳述する。
図１は、本発明に係る消音用履物を示す概略図である。該図において、消音用履物１０は、靴下等の履物部材１２と、履物部材１２に着脱自在に取り付けられる足底音吸収部材１４とを備える。履物部材１２は、足底部１６と、足のつま先から踵の全体を覆う本体部１８と、足首を覆う足首部２０とからなる。
【００１０】
足底音吸収部材１４は、図２に示されるように、衝撃吸収ゴム２２と、その上下面に設けられた密粒スポンジ２４、２６とからなる衝撃吸収部材２８と、該密粒スポンジ２６に設けられ足底部１６に固着するためのマジックテープ等の接着部材３０とからなる。この接着部材としてのマジックテープ３０は、足底部１６及び又は本体部１８の踵部に着脱自在に取り付けられるように密粒スポンジ２６に固着されている。該図では、マジックテープは、密粒スポンジ２６の底部に２ヶ所に固着されているが、２ヶ所に限らずさらに多くの個所、さらには全体に設けても良い。また、衝撃吸収ゴム２２と、その上下面に設けられた密粒スポンジ２６とは、弾力性を有する糊で接着されている。
【００１１】
前記履物部材１２は、図３に示すように、履物部材に設けられて足底音吸収部材を挿設するために踵側に開口部を有する袋体３１を備える。袋体３１は、履物部材の足底部でつま先に一端を固定し、踵側の他端を開口してなり、該開口から足底音吸収部材を挿設できるように空間を備える。さらに、開口側の袋体の布端は、足底音吸収部材の踵側を覆うように延出しており、衝撃吸収部材２８の踵側のマジックテープ３０と固着される。また、図４は、履物部材であるサンダル３４の底部に足底音吸収部材１４を設けた概略図である。
【００１２】
さらに、図５に示されるように、靴部材に入れられた足の移動を防止するための足移動防止部材３２を備える。足移動防止部材３２は、靴部材の本体部のつま先部３２−１及びほぼ中央部３２−２、足首部の下部３２−３並びに足首部の上部３２−４に設けられている。図６は、足移動防止部材の他の実施例を示す。足移動防止部材３２は、靴部材の本体部のつま先部につま先押え３２−５及び踵部に踵押え３２−６を設けている。押えは、マジックテープに固着される。
【００１３】
図７は、外用履物に上述した消音用履物を装着した状態を示す概略図である。外用靴３４に衝撃吸収部材２８を備えた消音用履物１４が装着されている。図８は、外用履物の上面から見た概略図である。外用履物３４の踵部の一端で着脱自在に取り付け可能にベルト３６が取り付けられている。
【００１４】
ベルト３６の先端は、マジックテープ３８−１が取り付けられ、他方の外用履物のマジックテープ３８−２と着脱自在に取り付けられる（図９）。かくして、外用履物に消音用履物を装着する場合には、外用履物３４のベルト３６をその他端から取り剥し、この状態で消音用履物を外用履物に差し入れる。この状態でベルトを他端に取り付ける。なお、マジックテープ又はベルトに代えてファスナーを使用してもよい。
【００１５】
図１０は、外用履物３４の踵部の一端で着脱自在に取り付け可能にベルト４０の他の実施例を示す。図１１は、外用履物３４の足首部２０に一端で着脱自在に取り付け可能にベルト４２の他の実施例を示す。
【００１６】
【発明の効果】
本発明に係る消音用履物によれば、小さな子供が少々はしゃいで駆け回わっても床から音、さらには音の響きを生じさせることがなく、さらに外用履物を音用履物を容易に装着できる。
【図面の簡単な説明】
【図１】図１は、本発明に係る消音用履物を示す概略図である。
【図２】図２は、本発明に係る消音用履物に使用される衝撃吸収部材を示す概略図である。
【図３】図３は、本発明に係る他の消音用履物を示す概略図である。
【図４】図４は、本発明に係るさらに他の消音用履物を示す概略図である
【図５】図５は、本発明に係る移動防止部材を備える消音用履物を示す概略図である。
【図６】図６は、本発明に係る他の移動防止部材を備える消音用履物を示す概略図である。
【図７】図７は、本発明に係る外用履物に消音用履物を装着した状態を示す概略図である。
【図８】図８は、本発明に係る外用履物の上面から見た概略図である。
【図９】図９は、本発明に係る外用履物の装着方法を示す概略図である。
【図１０】図１０は、本発明に係る外用履物を消音用履物に装着した状態を示す概略図である。
【図１１】図１１は、本発明に係る外用履物を消音用履物に装着した他の状態を示す概略図である。
【符号の説明】
１０；履物
１２；靴下等の履物部材
１４；足底音吸収部材
１６；足底部
１８；本体部
２０；足首部
２２；衝撃吸収ゴム
２４，２６；密粒スポンジ
２８；衝撃吸収部材
３０；マジックテープ等の接着部材
３１；袋体
３２；足移動防止部材
３２−１；つま先部３２−１
３２−２；中央部
３２−３；足首部の下部
３２−４；足首部の上部
３２−５；つま先押え３２−５
３２−６；踵押え
３４；外用履物
３６；ベルト
３８−１；マジックテープ
３８−２；マジックテープ
【図１】
2004351171.tif 000003
【図２】
2004351171.tif 000004
【図３】
2004351171.tif 000005
【図４】
2004351171.tif 000006
【図５】
2004351171.tif 000007
【図６】
2004351171.tif 000008
【図７】
2004351171.tif 000009
【図８】
2004351171.tif 000010
【図９】
2004351171.tif 000011
【図１０】
2004351171.tif 000012
【図１１】
2004351171.tif 000013